(57)【特許請求の範囲】
【請求項１】
複数台の冷凍冷却装置（６）と、これらの冷凍冷却装置（６）にそれぞれ設けられて当該冷凍冷却装置（６）を制御する端末管理装置（５）と、これらの端末管理装置（５）と交信可能に接続されて各端末管理装置（５）を介して各冷凍冷却装置（６）を一括管理しうる主管理装置（２）とを備えた冷凍冷却システムの集中管理装置において、
各端末管理装置（５）と交信可能に接続されて各端末管理装置（５）を介して各冷凍冷却装置（６）を一括管理しうる副管理装置（３）を備えるとともに、この副管理装置（３）および／または前記主管理装置（２）に管理系統切り換え用の切換手段（２３）を設け、
この切換手段（２３）によって前記管理系統を主管理装置（２）側から副管理装置（３）側へ切り換えた場合には、主管理装置（２）の代わりに副管理装置（３）が各端末管理装置（５）と交信して各冷凍冷却装置（６）を一括管理し、
いずれかの端末管理装置（５）に異常が発生した場合には、主管理装置（２）が各冷凍冷却装置（６）を一括管理し、副管理装置（３）が当該異常が発生した端末管理装置（５）を監視することを特徴とする冷凍冷却システムの集中管理装置。
【請求項２】
主管理装置（２）は、各端末管理装置（５）と所定時間以上交信できない場合には、管理系統を副管理装置（３）側に切り換えることにより、副管理装置（３）が各冷凍冷却装置（６）を一括管理する請求項１記載の冷凍冷却システムの集中管理装置。
【請求項３】
副管理装置（３）は単独で携帯可能であり、副管理装置（３）と各端末管理装置（５）とは接続部（２６・３７）をそれぞれ有しており、これらは接続部（２６・３７）によって互いに着脱自在に接続可能であり、
いずれかの端末管理装置（５）と副管理装置（３）とを接続部（２６・３７）で接続した場合には、副管理装置（３）が、当該端末管理装置（５）を介して当該端末管理装置（５）に接続された冷凍冷却装置（６）を管理する請求項１又は２記載の冷凍冷却システムの集中管理装置。
【請求項４】
各端末管理装置（５）と主管理装置（２）とが所定時間以上交信できない場合には、各端末管理装置（５）が、当該端末管理装置（５）に記憶している運転条件に基づいて当該端末管理装置（５）に接続された冷凍冷却装置（６）を管理するとともに警報を発する請求項１乃至３のいずれかに記載の冷凍冷却システムの集中管理装置。
【請求項５】
各冷凍冷却装置（６）を一括管理している管理装置（２・３）は、冷凍冷却装置（６）の全消費電力が予め設定された上限電力値以下になるように各端末管理装置（５）を介して冷凍冷却装置（６）の運転を制御する請求項１乃至４のいずれかに記載の冷凍冷却システムの集中管理装置。
【請求項６】
各冷凍冷却装置（６）を一括管理している管理装置（２・３）は、複数台の冷凍冷却装置（６）の同時起動を回避するように各端末管理装置（５）を介して冷凍冷却装置（６）の運転を制御する請求項５記載の冷凍冷却システムの集中管理装置。
【請求項７】
主管理装置（２）および副管理装置（３）は、各冷凍冷却装置（６）の優先順位を記憶する記憶手段（２１）と、冷凍冷却装置（６）の全消費電力を検出する電力検出手段（２５）とを備えており、
各冷凍冷却装置（６）を一括管理している管理装置（２・３）は、電力検出手段（２５）によって検出された冷凍冷却装置（６）の全消費電力が上限電力値を越えたときには、優先順位の高い冷凍冷却装置（６）から運転を停止させて冷凍冷却装置（６）の全消費電力が上限電力値を越えないように制御する請求項５記載の冷凍冷却システムの集中管理装置。  
【発明の詳細な説明】
【０００１】
【発明の属する技術分野】
本発明は、複数台のショーケースや冷凍機などの冷凍冷却装置を集中管理する冷凍冷却システムの集中管理装置に関する。
【０００２】
【従来の技術】
通常、スーパーマーケットやコンビニエンスストアなどの店舗では、ショーケースや冷凍機などの冷凍冷却装置を複数台設置している。そして、これらを効率良く管理する手段として、各冷凍冷却装置の温度管理や除霜時間などを１台の主制御装置で集中的に管理する技術が提案されている（例えば特開平８−１２１９２７号公報参照）。
【０００３】
この集中管理装置では、主制御装置で設定された各冷凍冷却装置の設定温度や霜取り時間などの運転条件のデータが、主制御装置から各冷凍冷却装置に接続された端末側制御装置に送信され、この運転条件のデータに基づいて各端末側制御装置が冷凍冷却装置を制御する。また、主制御装置は、各端末側制御装置から送られたショーケースの庫内温度などの運転状態に関するデータを中央管理装置に送信し、中央管理装置は、前記運転状態に関するデータを収集して、庫内温度などの推移をグラフ表示として出力する。
【０００４】
【発明が解決しようとする課題】
特開平８−１２１９２７号公報に記載のものでは、主制御装置は、監視上の点から、例えば店舗の警備室に配置されている。このためショーケースのメンテナンスなどを行う際に主制御装置を操作したい場合には、ショーケースなどの配置されている店内から警備室まで行かなければならず、ショーケースのメンテナンスなどを行う際に手間および時間がかかって作業性が悪くなる。
【０００５】
また、主制御装置と中央管理装置とが交信している間は主制御装置と各端末側制御装置とが交信できず、この間、各冷凍冷却装置が管理されないことになる。さらに主制御装置は、各冷凍冷却装置の庫内温度などのデータを、例えば３秒間隔で順次表示するが、冷凍冷却装置のいずれかに異常が発生した場合には当該異常内容などの警報情報を表示する。この場合、主制御装置が、異常の発生した冷凍冷却装置の警報情報を表示している間は正常な冷凍冷却装置のデータが表示されず、この間、正常な冷凍冷却装置の運転状態を確認できなくなる。
【０００６】
また、各冷凍冷却装置は、庫内温度などを設定温度に維持するなどのために運転と停止とを繰り返しており、複数台の冷凍冷却装置の同時起動で電流が大きくなり過ぎると、ブレーカーが遮断するおそれがある。さらに、冷凍冷却装置の全消費電力が電力会社との契約電力を越えてしまうことがある。
【０００７】
本発明の目的は、メンテナンスなどを行う際の作業性を向上させることにある。本発明の目的は、各冷凍冷却装置が長時間管理されなくなることを防ぐことにある。本発明の目的は、異常の発生した冷凍冷却装置の内容と、正常な冷凍冷却装置の運転状態のいずれも的確に確認できるようにすることにある。本発明の目的は、冷凍冷却装置全体の過剰な消費電力による、ブレーカーの遮断および電力料金の追加を抑えるようにすることにある。本発明の目的は、冷凍冷却装置の全消費電力の増加を未然に防止できるようにすることにある。本発明の目的は、冷凍冷却装置の運転停止による影響を少なくできながら、ブレーカーの遮断および電力料金の追加を抑えるようにすることにある。
【０００８】
【課題を解決するための手段】
本発明に係る冷凍冷却システムの集中管理装置は、図１に示すごとく複数台の冷凍冷却装置６と、これらの冷凍冷却装置６にそれぞれ設けられて当該冷凍冷却装置６を制御する端末管理装置５と、これらの端末管理装置５と交信可能に接続されて各端末管理装置５を介して各冷凍冷却装置６を一括管理しうる主管理装置２とを備えている。ここでの冷凍冷却装置６には、スーパーマーケットやコンビニエンスストアなどの店舗で使用されるオープンショーケース、冷凍機、プレハブ冷凍冷蔵庫、業務用冷蔵庫および業務用冷凍庫などが含まれる。
【０００９】
本発明の集中管理装置は、各端末管理装置５と交信可能に接続されて各端末管理装置５を介して各冷凍冷却装置６を一括管理しうる副管理装置３を備えるとともに、この副管理装置３および／または前記主管理装置２に管理系統切り換え用の切換手段２３を設けている。そして、この切換手段２３によって前記管理系統を主管理装置２側から副管理装置３側へ切り換えた場合には、主管理装置２の代わりに副管理装置３が各端末管理装置５と交信して各冷凍冷却装置６を一括管理する。いずれかの端末管理装置５に異常が発生した場合には、主管理装置２が各冷凍冷却装置６を一括管理し、副管理装置３が当該異常が発生した端末管理装置５を監視することを特徴とする。管理装置２・３で管理される冷凍冷却装置６には照明機器などを含むことが可能である。切換手段２３は、作業者が任意に切り換え操作可能なスイッチなどが該当する。主管理装置２は、各端末管理装置５と所定時間以上交信できない場合には、管理系統を副管理装置３側に切り換えることにより、副管理装置３に冷凍冷却装置６を一括管理させることができる。
【００１０】
副管理装置３は単独で携帯可能であり、副管理装置３と各端末管理装置５とは接続部２６・３７をそれぞれ有しており、これらは接続部２６・３７によって互いに着脱自在に接続可能である。そして、いずれかの端末管理装置５と副管理装置３とを接続部２６・３７で接続した場合には、副管理装置３が、当該端末管理装置５を介して当該端末管理装置５に接続された冷凍冷却装置６を管理することができる。各端末管理装置５と主管理装置２とが所定時間以上交信できない場合には、各端末管理装置５が、当該端末管理装置５に記憶している運転条件に基づいて当該端末管理装置５に接続された冷凍冷却装置６を管理するとともに警報を発するものとすることができる。
【００１１】
各冷凍冷却装置６を一括管理している管理装置２・３により、冷凍冷却装置６の全消費電力が予め設定された上限電力値以下になるように各冷凍冷却装置６の運転が制御される。上限電力値には、冷凍冷却装置６の電力消費でブレーカーが遮断する場合よりも小さい値や、電力会社との契約電力値よりも小さい値などが適宜選択される。各冷凍冷却装置６を一括管理している管理装置２・３は、複数台の冷凍冷却装置６の同時起動を回避するように各冷凍冷却装置６の運転を制御するものとすることができる。つまり、冷凍冷却装置６の消費電力が大きくなるのは、霜取り運転終了後の冷却運転の開始直後であるため、例えば、各冷凍冷却装置６を複数のグループに分け、各グループ毎に順次霜取り運転を行うことによって同時起動する冷凍冷却装置６の台数を減らして、冷凍冷却装置６の消費電力のピークを抑えることになる。
【００１２】
具体的には、各冷凍冷却装置６を一括管理している管理装置２・３は、各冷凍冷却装置６の優先順位を記憶する記憶手段２１と、冷凍冷却装置６の全消費電力を検出する電力検出手段２５とを備える。そして、各冷凍冷却装置６を一括管理している管理装置２・３は、電力検出手段２５で検出された冷凍冷却装置６の全消費電力が上限電力値を越えたときには、優先順位の高い冷凍冷却装置６から運転を停止させて冷凍冷却装置６の全消費電力が上限電力値を越えないように制御するものとすることができる。電力検出手段２５は、全ての冷凍冷却装置６の消費電力を一括して検出する場合と、個々の冷凍冷却装置６の消費電力を検出して、各消費電力を合算して冷凍冷却装置６の全消費電を求める場合とが含まれる。冷凍冷却装置６の優先順位は、例えば、冷却を停止しても品質に影響しない炭酸飲料などのショーケースを高くし、一方、冷却を停止すると品質が低下しやすい鮮魚や生肉などのショーケースを低くする。冷凍冷却装置６の優先順位は、同じ種類の商品が陳列されたショーケースであっても、商品を満杯状態にしたショーケースを高くし、一方、陳列した商品が少ないショーケースを低くする。
【００１３】
【作用】
本発明にかかる冷凍冷却システムの集中管理装置を図１に基づき具体的な例で説明すると、通常運転の際には、主管理装置２が各端末管理装置５を介して冷凍冷却装置６を一括管理する。即ち、主管理装置２は、各冷凍冷却装置６の制御内容などのデータを各端末管理装置５へ送信し、また各端末管理装置５からの各冷凍冷却装置６の各種データを受信する。一方、メンテナンスなどを行う際には、切換手段２３が操作されることで各冷凍冷却装置６の管理系統が主管理装置２側から副管理装置３側に切り換えられ、副管理装置３が各端末管理装置５を介して冷凍冷却装置６を一括管理する。即ち、副管理装置３は、前述と同様に制御内容などのデータを各端末管理装置５へ送信し、また各端末管理装置５からの各種データを受信する。メンテナンスなどの終了後に切換手段２３が操作されることで、前記管理系統が再び副管理装置３側から主管理装置２側に切り換えられる。
【００１４】
【発明の効果】
本発明の冷凍冷却システムの集中管理装置によれば、切換手段２３によって各冷凍冷却装置６の管理系統を主管理装置２側から副管理装置３側に切り換えれるので、副管理装置３を業務用冷蔵庫や冷凍機などの冷凍冷却装置６が配置される機械室に配置しておくことで、主管理装置２が、冷凍冷却装置６から離れた店舗の事務所に配置されている場合でも、事務所まで行かなくても機械室で副管理装置３を使って各冷凍冷却装置６の管理を行える。つまり、例えば冷凍冷却装置６の設定温度の変更を行っても、この変更後に冷凍冷却装置６の動作を直ちに確認でき、メンテナンスなどを行う際の作業性が向上する。いずれかの端末管理装置５に異常が発生した場合には、主管理装置２が各冷凍冷却装置６を一括管理し、副管理装置３が当該異常が発生した端末管理装置５を監視するので、副管理装置３によって異常の発生した冷凍冷却装置の異常内容などのみを集中的に表示する一方で、主管理装置２が正常な冷凍冷却装置の温度データなどを表示できる。つまり、副管理装置３が前記冷凍冷却装置６の異常内容などを集中的に表示することで、作業者は、前記異常内容などを的確に把握できて当該異常に迅速に対応できる一方で、店舗の管理者は、主管理装置２によって正常な冷凍冷却装置の運転状態を常に確認できる。
【００１５】
主管理装置２が端末管理装置５と長時間交信できない場合に、管理系統を副管理装置３側に切り換えて、副管理装置３に冷凍冷却装置６を一括管理させることで、主管理装置２が中央管理装置１などと長時間のデータ交信を行うなどのために各冷凍冷却装置６が長時間管理されなくなることが防がれる。従って、各冷凍冷却装置６を適正に管理することができるうえ、主管理装置２は、各冷凍冷却装置６の管理のために中央管理装置１などとのデータ交信を中断しなくても済み、迅速にデータ交信を行うことができる。
【００１７】
副管理装置３を、例えばメンテナンスを行おうとする冷凍冷却装置６としてのショーケースの設置場所まで携帯し、当該ショーケースに接続された端末管理装置５に対して前記副管理装置３を接続した場合には、当該ショーケースの設定温度の変更などの管理がショーケースの設置場所で行えるので、その場で前記変更後のショーケースの動作を確認できて、メンテナンスなどを行う際の作業性がより向上する。
【００１８】
主管理装置２の故障や通信線の異常などで各端末管理装置５と主管理装置２とが交信できない場合には、各端末管理装置５が単独で冷凍冷却装置６を管理することで、各冷凍冷却装置６の温度管理や霜取りなどが適正に行われなくなることが防止でき、また警報を発することで各端末管理装置５と主管理装置２とが交信できない状態が長時間続くことが防止でき、各冷凍冷却装置６をより適正に集中管理できる。
【００１９】
冷凍冷却装置６の全消費電力が予め設定された上限電力値以下になるように各冷凍冷却装置６の運転が制御されるので、冷凍冷却装置６の全消費電力が抑えられて冷凍冷却装置６全体へ流れる電流が小さくなり、ブレーカーが遮断することが防止される。また冷凍冷却装置の全消費電力が抑えられて電力会社との契約電力を越えることが防止され、電力料金を抑えることができる。
【００２０】
特に複数台の冷凍冷却装置６の同時起動を回避するように各冷凍冷却装置６の運転を制御したときには、冷凍冷却装置６の同時起動による冷凍冷却装置６の全消費電力の増加を未然に防止して、冷凍冷却装置６の全消費電力が上限電力値を越えることを確実に防止する。また、冷凍冷却装置６の全消費電力が上限電力値以下になるまで優先順位の高い冷凍冷却装置６から順に運転を停止させたときには、例えば、冷却を停止しても品質に影響しない炭酸飲料などのショーケースの優先順位を高くしておくことで、冷凍冷却装置６の運転停止による影響を少なくできながら、冷凍冷却装置６の全消費電力が上限電力値を越えることを確実に防止できる。
【００２１】
【発明の実施の形態】
図１は本発明に係る冷凍冷却システムの集中管理装置の実施例を示しており、１台の中央管理装置１と、１台の主管理装置２と、１台の副管理装置３と、複数台の端末管理装置５とを備えている。各端末管理装置５は、スーパーマーケットやコンビニエンスストアなどの店舗に配設されるオープンショーケースや冷凍機などの冷凍冷却装置６に設けてあり、中央管理装置１は店舗の事務所や店外のサービス本部などに配置される。主管理装置２は店舗の事務所などに配置され、副管理装置３は店舗の機械室などに配置される。
【００２２】
中央管理装置１と主管理装置２とは、例えばＥＩＡ規格ＲＳ−２３２ＣまたはＲＳ−４８５の通信ラインで接続され、主管理装置２と副管理装置３とは、例えばＥＩＡ規格ＲＳ−２３２ＣまたはＲＳ−４８５の通信ラインで接続される。主管理装置２と各端末管理装置５とは、例えばＥＩＡ規格ＲＳ−４８５の通信ラインで接続される。中央管理装置１を上記店外のサービス本部などに配置した場合には、中央管理装置１と主管理装置２とは電話回線や無線などによってデータ通信される。主管理装置２と各端末管理装置５とは無線などによって交信してもよい。
【００２３】
中央管理装置１は、図２に示すごとくマイクロコンピュータなどからなる制御部１３と、主管理装置２からの各種データなどを記憶するＲＡＭおよび中央管理装置１自体の制御プログラムなどを記憶するＲＯＭなどからなる記憶部１４と、ディスプレイやプリンタなどからなる表示部１５と、キーボード１６と、送受信部１７などを備えており、主管理装置２から送られて来た各冷凍冷却装置６の各種データ、例えば運転状況のデータや異常発生のデータを蓄積し、必要に応じて各週毎あるいは各月毎の温度履歴や警報履歴などの統計を表あるいはグラフなどに編集して表示する。運転状況のデータとしては、ショーケースの庫内温度データ、警報データおよび冷凍冷却装置６が冷却運転中あるいは霜取り運転中である旨などのデータが該当する。中央管理装置１は、キーボード１６などを使って冷凍冷却装置６の庫内温度や霜取り時間などの制御内容を予め設定し、あるいは変更することができ、この制御内容のデータを主管理装置２へ送信する。
【００２４】
主管理装置２および副管理装置３は、図３に示すごとくマイクロコンピュータなどからなる制御部２０と、各冷凍冷却装置６の霜取り時間などを記憶するＲＡＭおよび主管理装置２自体の制御プログラムなどを記憶するＲＯＭなどからなる記憶部２１と、小型の液晶表示部２２と、テンキーなどの操作部（切換手段）２３と、送受信部２４、冷凍冷却装置６の全消費電力を検出する電力検出手段２５などをそれぞれ備えており、主管理装置２あるいは副管理装置３の操作部２３のキー操作などに応じて、主管理装置２と副管理装置３とのいずれかが各端末管理装置５を介して各冷凍冷却装置６を一括管理する。
【００２５】
端末管理装置５は、図４に示すごとくマイクロコンピュータなどからなる制御部３２と、主管理装置２からの指示内容などのデータなどを記憶するＲＡＭおよび端末管理装置５自体の制御プログラムなどを記憶するＲＯＭなどからなる記憶部３３と、ショーケースの庫内温度を検出する温度センサや冷凍機の圧力を検出する圧力センサなどの各種のセンサ３４と、冷凍冷却装置６が異常の際に警報を発する警報出力部３５と、送受信部３６などを備えており、主管理装置２あるいは副管理装置３からの制御データの内容に合わせて当該冷凍冷却装置６に接続された冷凍冷却装置６を制御する。また端末管理装置５は、冷凍冷却装置６の温度データやコンプレッサの圧力データなどの各種のデータを主管理装置２へ送信し、操作部２３によって切り換えられたときには各種のデータを主管理装置２を介して副管理装置３へ送信する。
【００２６】
上記の構成からなる装置の動作を具体的に説明すると、通常運転の際には、主管理装置２が各端末管理装置５を介して冷凍冷却装置６を一括管理する。即ち主管理装置２は、中央管理装置１からの制御データや、主管理装置２の操作部２３によって予め設定された各ショーケースの庫内設定温度や霜取り時間あるいは冷凍機の運転開始の指示などの各冷凍冷却装置６の制御内容などのデータを送受信部２４によって各端末管理装置５へ順番に送信し、また各端末管理装置５から順に送られて来た各冷凍冷却装置６の各種データ、例えば運転状況のデータや異常発生のデータを記憶して中央管理装置１へ送信する。この際、副管理装置３は、液晶表示部２２に各冷凍冷却装置６の運転状況などのデータを順に表示する。
【００２７】
また、主管理装置２は、各冷凍冷却装置６の起動がずれるように各端末管理装置５を介して冷凍冷却装置６を制御するとともに、電力検出手段２５で検出された冷凍冷却装置６の全消費電力が予め設定した上限電力値を越えたときには、記憶部２１に記憶している優先順位に基づいて、冷凍冷却装置６の全消費電力が予め設定された上限電力値以下になるまで優先順位の高い冷凍冷却装置６から順に運転を停止させる。つまり、主管理装置２は、各端末管理装置５からの冷凍冷却装置６の運転状況のデータを受け取ることで各冷凍冷却装置６の起動を監視しており、例えば、複数台の冷凍冷却装置６が同時起動しようとしているときには、これらの冷凍冷却装置６のうち、１台の冷凍冷却装置６を起動させてから予め設定した設定秒経過毎に残りの冷凍冷却装置６を１台づつ順に起動させる様に各冷凍冷却装置６を制御する。
【００２８】
また、運転中の冷凍機の台数が多いために、電力検出手段２５で検出された冷凍冷却装置６の全消費電力が上限電力値を越えたときには、上述のように冷凍冷却装置６の全消費電力が上限電力値以下になるまで優先順位の高い冷凍冷却装置６から順に運転を停止させて、冷凍冷却装置６の全消費電力が電力会社との契約電力値を越えないようにしている。この後、ショーケースの冷却による温度低下などで冷凍機の負荷が減少して、運転中の冷凍機の全消費電力が低下したときには、冷凍冷却装置６の全消費電力が上限電力値を越えない範囲内で、優先順位の低い冷凍冷却装置６から順に運転が再開される。
【００２９】
一方、メンテナンスなどを行う際には、例えば副管理装置３の操作部２３を操作することで、各冷凍冷却装置６の管理系統を主管理装置２側から副管理装置３側に切り換える。副管理装置３は、前記切り換えられたときには、主管理装置２に記憶している各冷凍冷却装置６の制御内容などのデータを照合し、副管理装置３に記憶しているデータが主管理装置２と異なる場合には、例えば主管理装置２の記憶内容に合わせたのち、このデータに基づいて各冷凍冷却装置６を一括管理する。即ち、副管理装置３は、前述と同様に制御内容などのデータを各端末管理装置５へ送信し、また各端末管理装置５からの各種データを中央管理装置１へ送信する。この際、主管理装置２は、液晶表示部２２に各冷凍冷却装置６の運転状況などのデータを順に表示する。
【００３０】
主管理装置２は、中央管理装置１との長時間のデータ交信などによって各端末管理装置５と予め設定された所定時間以上交信できなくなる場合には、強制的に副管理装置３に切り換えて、副管理装置３で各冷凍冷却装置６を一括管理させる。副管理装置３は、主管理装置２によって強制的に切り換えられたときにも主管理装置２に記憶しているデータを照合して主管理装置２の記憶内容に合わせたのち、このデータに基づいて各冷凍冷却装置６を一括管理する。
【００３１】
主管理装置２が各冷凍冷却装置６を一括管理している際に、いずれかの冷凍冷却装置６に異常が発生した場合には、当該冷凍冷却装置６に接続された端末管理装置５は、当該異常に関する警報データを主管理装置２に送信し、副管理装置３は、主管理装置２を介して前記警報データを受信することで、異常が発生した冷凍冷却装置６の管理を優先すべく集中的、且つ、詳細に監視する。つまり副管理装置３は、通常、各冷凍冷却装置６の庫内温度などを液晶表示部２２に順番に表示しているが、いずれかの冷凍冷却装置６に異常が発生した場合には、前記庫内温度などの表示よりも異常が発生した冷凍冷却装置６の種類や異常の内容などの表示を優先すべく、例えば、異常が発生した各冷凍冷却装置６の異常内容のみを表示する。
【００３２】
副管理装置３は、主管理装置２との接続を切り離して単独で携帯可能であるとともに、図５に示すごとく各端末管理装置５に設けた接続部３７と着脱自在に接続可能な接続部２６を有している。接続部２６・３７は、コネクタや端子台などからなり、冷凍冷却装置６のメンテナンスなどの際には、副管理装置３を当該冷凍冷却装置６の設置場所まで携帯し、副管理装置３の接続部２６と当該冷凍冷却装置６に接続された端末管理装置５の接続部３７とを接続して、前記冷凍冷却装置６の動作を確認する。
【００３３】
主管理装置２の故障や通信線の異常などによって各端末管理装置５が主管理装置２と予め設定された所定時間以上交信できない場合には、各端末管理装置５は、当該端末管理装置５に記憶している運転条件に基づいて当該端末管理装置５に接続された冷凍冷却装置６を管理するとともに、主管理装置２との交信が不能である旨の警報を警報出力部３５で発する。
【図面の簡単な説明】
【図１】本発明の全体的な構成を概略的に示すブロック構成図である。
【図２】中央管理装置のブロック構成図である。
【図３】本発明に係る主管理装置および副管理装置のブロック構成図である。
【図４】本発明に係る端末管理装置のブロック構成図である。
【図５】副管理装置と端末管理装置との接続状態を示す概略図である。
【符号の説明】
２  主管理装置
３  副管理装置
５  端末管理装置
６  冷凍冷却装置
２３  操作部（切換手段）
２５  電力検出手段
２６・３７  接続部
【図１】
0004313489.tif 000002
【図２】
0004313489.tif 000003
【図３】
0004313489.tif 000004
【図４】
0004313489.tif 000005
【図５】
0004313489.tif 000006